(57)【要約】【課題】ＰＣ鋼線の表面の軸方向応力を軸方向に広く分散させて、把持される部分のＰＣ鋼線部分の全体として定着効率を高めることができる高強度線材の定着治具構造を提供すること。【解決手段】２，０００ＭＰａ以上の高強度ＰＣ鋼撚り線１８に用いるコーン型の緊張定着治具構造において、分割型雄コーン５のテーパー状外周面の中心軸線Ｃとのなす角度βを、雌型受け金具１７のテーパー状内周面の中心軸線となす角度よりも大き、例えば、０．３度以上０．６度以下の角度で大きくする。また、分割型雄コーン５の内周面に、先端部から一定長のＰＣ鋼撚り線との摩擦型固定部７と、楔型固定部９とを設けたり、その間に漸次後端側に向かって縮径するテーパー状の傾斜型楔部を設ける。分割型雄コーンの内周面とその周方向分割端面との内隅部を、面取り接続部、円弧状接続部等を介して接続する。【選択図】  図４
2004308203.tif 000002
【特許請求の範囲】
【請求項１】
ＰＣ鋼撚り線に用いるコーン型の緊張定着治具構造において、分割型雄コーンのテーパー状外周面の中心軸線とのなす角度を、雌型受け金具のテーパー状内周面の中心軸線となす角度よりも大きくしたことを特徴とする高強度線材の定着治具構造。
【請求項２】
ＰＣ鋼撚り線に用いるコーン型の緊張定着治具構造において、分割型雄コーン内周面に、その先端部から一定長のＰＣ鋼撚り線との摩擦型固定部を有し、かつそれに続くＰＣ鋼撚り線との楔型固定部を有する分割型雄コーンとしたことを特徴とする高強度線材の定着治具構造。
【請求項３】
請求項２の定着治具構造において、分割型雄コーン内周面の先端部から一定長のＰＣ鋼撚り線との摩擦型固定部と、それに続くＰＣ鋼撚り線との楔型固定部との間に、漸次後端側に向かって縮径するテーパー状の傾斜型楔部を有する分割型雄コーンとしたことを特徴とする高強度線材の定着治具構造。
【請求項４】
分割型雄コーン内周面に、その先端部から一定長のＰＣ鋼撚り線との摩擦型固定部を有し、かつそれに続くＰＣ鋼撚り線との楔型固定部を有する分割型雄コーンとしたことを特徴とする請求項１に記載の高強度線材の定着治具構造。
【請求項５】
請求項１の定着治具構造において、分割型雄コーン内周面に、その先端部から一定長のＰＣ鋼撚り線との摩擦型固定部を有し、かつそれに続くＰＣ鋼撚り線との楔型固定部を有する分割型雄コーンとし、さらに前記摩擦型固定部と、前記楔型固定部との間に、漸次後端側に向かって縮径するテーパー状の傾斜型楔部を有する分割型雄コーンとしたことを特徴とする高強度線材の定着治具構造。
【請求項６】
請求項１〜５のいずれかに記載の高強度線材の定着治具構造において、円周方向に複数分割された分割型雄コーンの内周面とその周方向分割端面との内隅部を、面取り接続部、または円弧状接続部を介して接続するようにしたことを特徴とする高強度線材の定着治具構造。
【請求項７】
ＰＣ鋼撚り線に用いるコーン型の緊張定着治具構造において、分割型雄コーンのテーパー状外周面の中心軸線とのなす角度を、雌型受け金具におけるテーパー状内周面の中心軸線となす角度よりも、０．３度以上０．６度以下の角度で大きくしたことを特徴とした請求項１〜６のいずれかに記載の高強度線材の定着治具構造。
【請求項８】
請求項１〜５または請求項７のいずれかに記載の定着治具構造において、円周方向に複数分割された分割型雄コーン内周面とその周方向分割端面との内隅部を、前記雄コーン内周面の内歯山部に接線状態で接続すると共に、分割切断面に近づくにしたがって漸次半径方向外側に拡径するように傾斜する傾斜面を介して接続するようにしたことを特徴とする高強度線材の定着治具構造。
【請求項９】
前記ＰＣ鋼撚り線が２，０００ＭＰａ以上の高強度ＰＣ鋼撚り線であることを特徴とする請求項１〜８のいずれかに記載の高強度線材の定着治具構造。
【発明の詳細な説明】
【０００１】
【発明の属する技術分野】
本発明は、ＰＣ床版やＰＣ橋梁等の土木分野、あるいはＰＣ梁やＰＣ床等の建築分野において、コンクリートに圧縮力を導入するために使用されるＰＣ鋼材等の高強度線材を定着するための定着治具構造に関する。
【０００２】
【従来の技術】
一般に、ＰＣ鋼線は、コンクリート部材製作時に、事前に型枠内に配筋し、コンクリート打設後、コンクリートが硬化した後に、緊張し両端を固定することで、コンクリートに圧縮力を与え、外力に対しコンクリートがひび割れ難く、高強度・高耐力なコンクリート部材を実現する目的で使用される。
【０００３】
このようなＰＣ鋼線を使用する部材または構造物として、橋梁分野でのＰＣ床版やＰＣ橋梁に多く使用されている。また、建築分野においても、ＰＣ梁、ＰＣ床等に用いられている。
【０００４】
従来、先端部に向かって縮径するように傾斜するテーパー状外周面を有すると共に分割型円筒状内周面に内歯を備えた分割截頭円錐状の分割型テーパー付き雄コーン片（分割型楔片）を周方向に間隔をおいて配置して構成される分割型雄コーンまたは平型のコーンが知られている（例えば、特許文献１〜５参照）。
このような分割型雄コーンとして、図１１に示すように、先端部に向かって縮径するように傾斜するテーパー状外周面１１および必要に応じスリット１２を有すると共に、分割円筒状内周面１３に先端部から後端部のほぼ全長に渡って内歯１４を有する複数の分割型雄コーン片１５ａからなる分割型雄コーン（分割型楔）１５を使用し、また、図１２に示すように、先端部に向かって縮径するように傾斜するテーパー状内周面１６を有する雌型受け金具７を使用して、図１３に示すように、ＰＣ鋼撚り線１８を緊張定着する治具２２が知られている。
【０００５】
この図１３に示す形態では、分割型雄コーン１５におけるテーパー状外周面１１の中心軸線Ｃとのなす角度αと、雌型受け金具１７におけるテーパー状内周面１６の中心軸線Ｃとのなす角度αとは同じ傾斜角であるので、雌型受け金具１７に挿通されたＰＣ鋼撚り線１８を雌型受け金具１７に圧入される分割型雄コーン１５により把持した場合、ＰＣ鋼撚り線１８の拘束力は大きい点では望ましいが、しかし、分割型雄コーン１５の先端部で噛み込むように把持し、分割型雄コーン１５の中間部から後端部では把持力が弱くなる。
【０００６】
さらに説明すると、分割型雄コーン１５におけるテーパー状外周面１１の中心軸線Ｃとのなす角度αと、雌型受け金具１７におけるテーパー状内周面１６の中心軸線Ｃとのなす角度αとの角度差（Ａ）は、ゼロ度であるので、図１０の線図の曲線イで示すように、分割型雄コーン１５先端部でＰＣ鋼線表面の軸方向応力が応力集中して一番高くなり、先端部から若干離れると急激にＰＣ鋼線表面の軸方向応力が落ちるようになる。
【０００７】
したがって、定着部のＰＣ鋼撚り線１８におけるＰＣ鋼線３の軸方向応力は、分割型雄コーン１５の軸方向中間部にも内歯１４があるにもかかわらず、分割型雄コーン１５の挿し込み側の先端部で応力集中が大きくなる形態となっており、この部分では、分割型雄コーン１５の先端部内歯１４により噛み込み傷が発生しＰＣ鋼線３（またはＰＣ鋼撚り線１８）の脆性破断が発生しやすくなる恐れのある形態である。したがって、分割型雄コーン１５の軸方向中間部の内歯１４でも負担し、ＰＣ鋼線３の軸方向応力を分割型雄コーン１５の先端部で応力集中することなく、分割型雄コーン１５の軸方向に分散させることが望まれる。
【０００８】
また、最近は、ＰＣ鋼線３を高強度化することで施工本数を少なくし、低コスト、省力化施工が望まれている。しかしながら、高強度のＰＣ鋼線３を用いた場合、前記のような従来の定着治具２２では、▲１▼ＰＣ鋼線３が絞り切れ（細くなって切れること）が生じないで脆性破断したり、また、▲２▼ＰＣ鋼線３の耐疲労性が比較的低いという問題がある。これは、従来の２，０００ＭＰａ以下の高強度ＰＣ鋼撚り線に比べ強度が高いため、より強固にＰＣ鋼撚り線１８を、内歯を有する分割型雄コーン（すなわち分割型楔）１５により圧着把持する必要があるため生じる問題である。
【０００９】
また、図１４（ｂ）に示すように、分割型雄コーン１５の円筒状内周面１３と周方向分割端面（周方向側端面）１９との内隅部２０が角部２１とされていると、ＰＣ鋼撚り線１８におけるＰＣ鋼線３に、前記の角部２１が噛み込み、ＰＣ鋼線３に傷２３を付けることになり、ＰＣ鋼線３が早期に破断する恐れがあり、定着効率が低くなる恐れがある。
【００１０】
ここで、定着効率とは、ＰＣ鋼線単身の引張破断荷重に対する、定着治具をセットしそれを介して引張試験を行なった際の破断荷重の比で表される。なお、定着効率には、ＪＩＳ規格強度を用いた場合と、実強度を用いた場合とがある。
【００１１】
【特許文献１】
特開２００２−２４２４３７号公報
【特許文献２】
特開２００１−３４９００１号公報
【特許文献３】
特開２０００−２０２８２２号公報
【特許文献４】
特開平１１−１９９５号公報
【特許文献５】
特開平１１−２１０２２７号公報
【００１２】
【発明が解決しようとする課題】
本発明は、前記従来の問題点である、分割型雄コーン先端部において極度な噛み込み把持によるＰＣ鋼線の表面の軸方向応力集中をさけ、分割型雄コーン先端部から中間部にかけてＰＣ鋼撚り線を把持することにより、ＰＣ鋼線の表面の軸方向応力を軸方向に広く分散させて、把持される部分のＰＣ鋼撚り線部分の全体として定着効率を高めることができ、また、従来のＰＣ鋼撚り線あるいは超高強度のＰＣ鋼撚り線にも適用することができる高強度線材の定着治具構造を提供することを目的とする。
【００１３】
【課題を解決するための手段】
前記の従来の問題点を有利に解決するために、第１発明の高強度線材の定着治具構造においては、ＰＣ鋼撚り線に用いるコーン型の緊張定着治具構造において、分割型雄コーンのテーパー状外周面の中心軸線とのなす角度を、雌型受け金具のテーパー状内周面の中心軸線となす角度よりも大きくしたことを特徴とする。
【００１４】
また、第２発明の高強度線材の定着治具構造においては、ＰＣ鋼撚り線に用いるコーン型の緊張定着治具構造において、分割型雄コーン内周面に、その先端部から一定長のＰＣ鋼撚り線との摩擦型固定部を有し、かつそれに続くＰＣ鋼撚り線との楔型固定部を有する分割型雄コーンとしたことを特徴とする。
さらに、第３発明の高強度線材の定着治具構造においては、第２発明の定着治具構造において、分割型雄コーン内周面の先端部から一定長のＰＣ鋼撚り線との摩擦型固定部と、それに続くＰＣ鋼撚り線との楔型固定部との間に、漸次後端側に向かって縮径するテーパー状の傾斜型楔部を有する分割型雄コーンとしたことを特徴とする。
さらにまた、第４発明においては、第１発明の高強度線材の定着治具構造において、分割型雄コーン内周面に、その先端部から一定長のＰＣ鋼撚り線との摩擦型固定部を有し、かつそれに続くＰＣ鋼撚り線との楔型固定部を有する分割型雄コーンとしたことを特徴とする。
【００１５】
なおまた、第５発明においては、第１発明の定着治具構造において、分割型雄コーン内周面に、その先端部から一定長のＰＣ鋼撚り線との摩擦型固定部を有し、かつそれに続くＰＣ鋼撚り線との楔型固定部を有する分割型雄コーンとし、さらに前記摩擦型固定部と、前記楔型固定部との間に、漸次後端側に向かって縮径するテーパー状の傾斜型楔部を有する分割型雄コーンとしたことを特徴とする。
【００１６】
また、第６発明においては、第１発明〜第５発明のいずれかの高強度線材の定着治具構造において、円周方向に複数分割された分割型雄コーンの内周面とその周方向分割端面との内隅部を、面取り接続部、または円弧状接続部を介して接続するようにしたことを特徴とする。
【００１７】
また、第７発明では、第１発明〜第６発明のいずれかの高強度線材の定着治具構造において、ＰＣ鋼撚り線に用いるコーン型の緊張定着治具構造において、分割型雄コーンのテーパー状外周面の中心軸線とのなす角度を、雌型受け金具におけるテーパー状内周面の中心軸線となす角度よりも、０．３度以上０．６度以下の角度で大きくしたことを特徴とする。
【００１８】
また、第８発明においては、第１発明〜第５発明または第７発明のいずれかの定着治具構造において、円周方向に複数分割された分割型雄コーン内周面とその周方向分割端面との内隅部を、前記雄コーン内周面の内歯山部に接線状態で接続すると共に、分割切断面に近づくにしたがって漸次半径方向外側に拡径するように傾斜する傾斜面を介して接続するようにしたことを特徴とする。
【００１９】
また、第９発明においては、第１発明〜第８発明の高強度線材の定着治具構造において、前記ＰＣ鋼撚り線が２，０００ＭＰａ以上の高強度ＰＣ鋼撚り線であることを特徴とする。
【００２０】
【発明の実施の形態】
次に、本発明を図示の実施形態に基づいて詳細に説明する。
図１（ａ），（ｂ）には、本発明の高強度線材の定着治具構造において使用される分割型雄コーン５の一実施形態が示されている。この分割型雄コーン５は、中空截頭円錐状体を円周方向に２分割（図示の場合）または３分割等の複数に分割された形態のテーパー付きの各分割型雄コーン片６を等角度間隔で配置されて構成され、各分割型雄コーン片６は、先端部に向かって縮径するように傾斜するテーパー状外周面１１および必要に応じスリット１２を有している。
【００２１】
前記分割型雄コーン５のテーパー状外周面１１の中心軸線Ｃとのなす角度βは、これと同心状に配置される後記する雌型受け金具１７のテーパー状内周面１６の中心軸線Ｃとなす角度αよりも、大きく設定され、例えば、０．３度以上０．６度以下の範囲で大きく設定されている。
【００２２】
前記分割型雄コーン５のテーパー状外周面１１の中心軸線Ｃとのなす角度βと、雌型受け金具１７のテーパー状内周面１６の中心軸線Ｃとなす角度αとの角度差（Ａ＝β―α）が、０度を超えると分割型雄コーン６の先端部付近におけるＰＣ鋼線３部分の応力集中が緩和される効果がある。しかし、角度差（Ａ＝β―α）が、０．３度未満であると、分割型雄コーン６の先端部付近におけるＰＣ鋼線３部分の応力集中の緩和効果が小さいため、好ましくは、角度差Ａ＝β―αを０．３度以上に設定するとよい。
【００２３】
また、前記分割型雄コーン５のテーパー状外周面１１の中心軸線Ｃとのなす角度βと、雌型受け金具１７のテーパー状内周面１６の中心軸線Ｃとなす角度αとの角度差（Ａ＝β―α）が、０．６度以上であると、雌型受け金具１７のテーパー状内周面１６に定着しずらくなるので、実用的には、角度差Ａ＝β―αを０．６度以下に設定すると好ましい。
【００２４】
図示の形態の分割型雄コーン５では、分割型の円筒状内周面１３は、その先端部側の円弧状内周面には、先端部から一定長のＰＣ鋼撚り線１８との摩擦型固定部７と、軸方向中間部から後端部にかけて、軸方向に所定ピッチの多数の平行な楔型の歯型の内歯１４を有する楔型固定部９とを備えている。なお、楔型固定部とは、楔型の内歯を有して、ＰＣ鋼撚り線１８に噛み込み圧着する部分を言う。
【００２５】
前記の摩擦型固定部７は、断面円弧状で、極率半径が軸方向に一定の内周面で、ＰＣ鋼撚り線１８の外周面に圧着して、ＰＣ鋼撚り線１８を摩擦式に圧着把持する部分であり、表面を粗面としない摩擦型固定部７としてもよく、表面にガラス片を固着し粗面とした摩擦型固定部７とすることもできる。このように、摩擦型固定部７を設けると、摩擦型固定部７でもＰＣ鋼撚り線を把持して、楔型固定部９先端部でのＰＣ鋼線表面の軸方向の応力集中を防止することができる。なお、前記の摩擦型固定部７の長さ寸法は、設計により適宜設定される。前記の摩擦型固定部７を設ける場合は、前記分割型雄コーン５のテーパー状外周面１１の中心軸線Ｃとのなす角度βと、雌型受け金具１７のテーパー状内周面１６の中心軸線Ｃとなす角度αとの角度差（Ａ＝β―α）が前記のようにある場合でも、あるいは角度差（Ａ＝β―α）が従来のように０度であっても、分割型雄コーン５先端部でのＰＣ鋼線表面の軸方向の応力集中を防止することができる。
【００２６】
前記の楔型固定部９は、ＰＣ鋼撚り線１８を確実に把持して拘束力の大きな部分であり、この楔型固定部９を構成する内歯１４は、内面の円周方向に沿って内径側に突出する山部４と、円周方向に沿って外径側に凹む谷部４ｃとが軸方向に交互に形成された楔型の内歯１４であり、内歯１４における山部４を形成する両側の斜面は、先端側の斜面４ａが、後端側の斜面４ｂよりも軸方向に緩傾斜の斜面とされている。
【００２７】
前記の円周方向に複数に分割された分割型雄コーン５における分割型雄コーン片６の内周面１３とその周方向分割端面（周方向の側端面）１９との内隅部（周方向内側コーナー部）２０を、面取り接続部１（図１ｂ，図６ａ参照）、または円弧状接続部２（図６ｂ参照）を介して接続されている。このように内隅部２０に面取り接続部１または円弧状接続部２を設けることで、ＰＣ鋼撚り線１８におけるＰＣ鋼線３に内隅部２０が噛み込むことを防止し、ＰＣ鋼線３のきずの発生を防止し、ＰＣ鋼線３の脆性破断を防止している。
【００２８】
図３には、本発明において使用される一実施形態の雌型受け金具１７が示されている。この雌型受け金具１７は、先端部に向かって先細状のテーパー状内周面１６を有する筒状スリーブからなる雌型受け金具１７の形態で、前記テーパー状内周面１６の中心軸線Ｃとなす角度αは、分割型雄コーン１５のテーパー状外周面１１の中心軸線Ｃとなす角度βよりも小さく設定されている。前記のテーパー状内周面１６の中心軸線Ｃとなす角度αが、分割型雄コーン１５のテーパー状外周面１１の中心軸線Ｃとなす角度βよりも大きく設定されていると、分割型雄コーン先端部での噛み込みが大きくなり、分割型雄コーン先端部でのＰＣ鋼撚り線１８の応力集中が高まり好ましくない。
【００２９】
図示の形態では、一つの先細状のテーパー状内周面１６を有する筒状スリーブからなる雌型受け金具１７が示されているが、複数の先細状のテーパー状内周面１６を間隔をおいて有する雌型受け金具（図示を省略）でも同様である。
【００３０】
図４および図５には、前記雌型受け金具１７と分割型雄コーン５を使用してＰＣ鋼撚り線１８を緊張定着した状態が示され、雌型受け金具１７は、支圧プレート８により支承され、支圧プレート８を介して図示省略のコンクリートに圧縮力が導入される。
【００３１】
ここで、分割型雄コーン５のテーパー状外周面１１の中心軸線Ｃとのなす角度βをα度（例えば、７度）から、α＋０．２度、α＋０．３度、α＋０．６度、α＋０．９度と順次変化させ、雌型受け金具１７のテーパー状内周面１６の中心軸線Ｃとのなす角度αを一定（例えば、７度）とした場合、軸方向全長に内歯１４を備えた分割形雄コーン片６の全長６５ｍｍに対するＰＣ鋼線３の表面の軸方向応力について、数値解析した結果を示す図１０を参照して説明する。
【００３２】
分割型雄コーン５のテーパー状外周面１１の中心軸線Ｃとのなす角度βと雌型受け金具１７のテーパー状内周面１６の中心軸線Ｃとのなす角度αとの角度差（Ａ＝β―α）がゼロ度の場合は、前記のように曲線イとなり、角度差Ａが０．２度では曲線ロ、０．３度では曲線ハ、０．６度では曲線ニ、０．９度では曲線ホとなる。
【００３３】
この線図から、従来の説明でも記載したように、角度差（Ａ＝β―α＝０．００度）の場合が、分割形雄コーン先端部でのＰＣ鋼線拘束力が大きく（２７００ＭＰａ）望ましいが、分割形雄コーン先端部のＰＣ鋼線表面で軸方向応力が集中しているので、分割形雄コーン先端部でＰＣ鋼線に強く噛み込みでいる状態となり、ＰＣ鋼線に噛み込み傷が発生し脆性破断し易い。また、先端部から若干離れると急激にＰＣ鋼線表面の軸方向応力が落ちるようになる。さらに、分割形雄コーン後端部では、比較的大きな負の軸方向応力（−１０００ＭＰａ）が作用している状態となっているのがわかる。
【００３４】
そして、前記角度差（Ａ＝β―α）が、０．２度（曲線イ）、０．３度（曲線ハ）、０．６度（曲線ニ）、０．９度（曲線ホ）と徐々に大きくなるにしたがって、分割形雄コーン先端部におけるＰＣ鋼線表面の軸方向応力が緩和され、また分割形雄コーン中間部におけるＰＣ鋼線表面の軸方向応力が高まり、さらに、分割形雄コーン後端部でのＰＣ鋼線の負の軸方向応力も小さくなっていることがわかる。
【００３５】
このことから、分割形雄コーン先端部におけるＰＣ鋼線表面の軸方向応力の集中を避け、例えば、ＰＣ鋼線に１８６０ＭＰａ以上のＰＣ鋼線表面の軸方向応力を期待する場合、前記角度差（Ａ＝β―α）が、０．３度（曲線ハ）、０．６度（曲線ニ）、０．９度（曲線ホ）を選択すればよいことがわかる。ただし、前記角度差（Ａ＝β―α）が、０．９度（曲線ホ）では、分割形雄コーン先端部におけるＰＣ鋼線表面の軸方向応力の集中はないが、ＰＣ鋼線３の拘束力が２０００ＭＰａを超える程度なので、１８６０ＭＰａに対してわずかな余裕しかなく、何らかの原因で変動があると、期待するＰＣ鋼線の拘束力を失う恐れがある（１８６０ＭＰａ以下となる恐れがある）ので、安全性を高めるため、前記角度差（Ａ＝β―α）が０．６度（曲線ニ）を採用すると良く、このことは、分割形雄コーンを圧入する角度差の限界とも合っている。
【００３６】
また、ＰＣ鋼撚り線１８にけるＰＣ鋼線３の定着部の軸方向応力は、分割型雄コーン５の軸方向中間部の内歯１４でも負担し、ＰＣ鋼線３の軸方向応力を分割型雄コーン１５の先端部で応力集中することなく、分割型雄コーン５の軸方向に分散させて、ＰＣ鋼線３の軸方向に分散させて伝達できることがわかる。
【００３７】
次に、本発明の第２実施形態の定着治具構造において使用する分割型雄コーン５について、図７および図８を参照して説明する。なお、図４に対応する図は、分割型雄コーン５を置き換えると同様な図となるので省略した。この実施形態は、分割型雄コーン５を構成する各分割型雄コーン６の内周面１３の先端部から一定長のＰＣ鋼撚り線１８の摩擦型固定部７と、それに続くＰＣ鋼撚り線１８との楔型固定部９との間に、漸次後端側に向かって縮径するテーパー状の傾斜型楔部２５を有する分割型雄コーン５とした形態である。
【００３８】
前記の楔型固定部９を構成する内歯１４は、前記実施形態と同様、内面の円周方向に沿った山部４と、円周方向に沿った谷部４ｃとが交互に形成された楔型形状の内歯１４であり、内歯１４における山部４を形成する両側の斜面は、先端側の斜面４ａが、後端側の斜面４ｂよりも軸方向に緩傾斜の斜面とされている。
【００３９】
また、先端部内面の内歯１４における複数の山部４が、中間部から後部内面の山部４よりも低く設定され、楔先端部から楔中間部に向って漸次縮径する２点鎖線で示す内側テーパー状緩傾斜面１０に沿って、先端側の断面ほぼ台形形状の山部４ｄから順次、山部が内側に高くなるように、かつ中間部における断面ほぼ鋭角三角形状の山部４の形状に順次近づくように形成されている。
【００４０】
さらに説明すると、先端部内面の内歯１４における複数の山部４ｄが、先端部から中間部に向って漸次縮径する内側テーパー状緩傾斜面１０に沿って、断面ほぼ三角形の山部の頂部が削り落とされて、ほぼ台形形状に形成されている。
【００４１】
このように先端部内面の複数の山部４ｄが、漸次縮径する内側テーパー状緩傾斜面１０に沿って、断面ほぼ三角形の山部の頂部が削り落とされたほぼ台形形状に形成されていると、楔型固定部９先端部でのＰＣ鋼線３に対する噛み込みを防止すると共に、この部分でのＰＣ鋼線表面の軸方向応力集中を防止することができる。なお、このような分割型雄コーン片６を製造する方法としては、機械切削加工あるいは鋳造法により製造することができる。
【００４２】
その他の構成は、前記実施形態と同様であるので、同様な部分には、同様な符号を付して説明を省略する。
【００４３】
次に、本発明の第３実施形態の定着治具構造において使用する分割型雄コーン５について、図９を参照して説明する。なお、図４に対応する図は、前記と同様分割型雄コーン５を置き換えると同様な図となるので省略した。
【００４４】
この実施形態は、前記の各実施形態の変形形態で、円周方向に複数分割された分割型雄コーン内周面１３とその周方向分割端面１９との内隅部２０を、前記分割型雄コーン内周面１３の円弧状内歯山部４に接線状態で接続すると共に、分割端面１９に近づくにしたがって漸次半径方向外側に拡径するように傾斜する傾斜面２６を介して接続するようにした形態である。
【００４５】
前記の分割端面１９に近づくにしたがって漸次半径方向外側に拡径するように傾斜する傾斜面２６の傾斜角は設計により、適宜設定される。このような内歯山部に接線状態で接続する傾斜面２６を設けると、前記のように、内隅部２０に面取り接続部１または円弧状接続部２を設ける場合と同様に、ＰＣ鋼撚り線１８におけるＰＣ鋼線３に内隅部２０が噛み込むことを確実に防止し、ＰＣ鋼線３に、傷が発生するのを防止し、ＰＣ鋼線３の脆性破断を確実に防止することができる。その他の構成は、前記実施形態と同様であるので、同様な部分には、同様な符号を付して説明を省略する。
【００４６】
本発明を実施する場合、図示の形態を適宜組み合わせても良い。
【００４７】
本発明の定着治具構造は、通常のＰＣ鋼撚り線および、より高強度のＰＣ鋼撚り線の定着治具構造にも適用することができ、例えば、ＰＣ鋼撚り線が２，０００ＭＰａ以上の高強度ＰＣ鋼撚り線からなる高強度線材の定着治具構造にも、分割型雄コーン先端部あるいは楔型固定部におけるＰＣ鋼線表面部の軸方向応力集中を防止し、また、分割型雄コーン５における分割型雄コーン片６の内隅部２０の噛み込みを防止することができる。
【００４８】
【発明の効果】
本発明は以上の構成であるので次のような効果を有している。
第１発明によると、ＰＣ鋼撚り線に用いるコーン型の緊張定着治具構造において、分割型雄コーンのテーパー状外周面の中心軸線とのなす角度を、雌型受け金具のテーパー状内周面の中心軸線となす角度よりも大きくしたので、分割型雄コーンの先端部付近におけるＰＣ鋼線部分の応力集中が緩和される効果がある。
【００４９】
第２発明によると、ＰＣ鋼撚り線に用いるコーン型の緊張定着治具構造において、分割型雄コーン内周面に、その先端部から一定長のＰＣ鋼撚り線との摩擦型固定部を有し、かつそれに続くＰＣ鋼撚り線との楔型固定部を有する分割型雄コーンとしたので、摩擦型固定部でもＰＣ鋼線を把持して、分割型雄コーン先端部または楔型固定部先端部でのＰＣ鋼線表面の軸方向の応力集中を防止することができる。
【００５０】
また、第３発明によると、分割型雄コーン内周面の先端部から一定長のＰＣ鋼撚り線との摩擦型固定部と、それに続くＰＣ鋼撚り線との楔型固定部との間に、漸次後端側に向かって縮径するテーパー状の傾斜型楔部を有する分割型雄コーンとしたので、傾斜型楔部で徐々にＰＣ鋼線の拘束力を高めることができるため、楔型固定部先端側でのＰＣ鋼線表面の軸方向の応力集中を防止することができる。
【００５１】
第４発明によると、第１発明において、分割型雄コーン内周面に、その先端部から一定長のＰＣ鋼撚り線との摩擦型固定部を有し、かつそれに続くＰＣ鋼撚り線との楔型固定部を有する分割型雄コーンとしたので、分割型雄コーンのテーパー状外周面の角度による分割型雄コーンの先端部付近におけるＰＣ鋼線部分の応力集中の緩和効果と、摩擦型固定部を設けたことによる応力集中の緩和効果との、分割型雄コーン内外面によるＰＣ鋼線部分の応力集中の緩和効果を奏することができる。
【００５２】
第５発明によると、第１発明の定着治具構造において、分割型雄コーン内周面に、その先端部から一定長のＰＣ鋼撚り線との摩擦型固定部を有し、かつそれに続くＰＣ鋼撚り線との楔型固定部を有する分割型雄コーンとし、さらに前記摩擦型固定部と、前記楔型固定部との間に、漸次後端側に向かって縮径するテーパー状の傾斜型楔部を有する分割型雄コーンとしたので、前記第１〜第４発明のすべての効果を奏することができる。
【００５３】
また、第６発明によると、円周方向に複数分割された分割型雄コーンの内周面とその周方向分割端面との内隅部を、面取り接続部、または円弧状接続部を介して接続したので、このように内隅部に面取り接続部または円弧状接続部を設けることで、ＰＣ鋼撚り線に分割型雄コーンにおける内隅部が噛み込むことを防止し、ＰＣ鋼撚り線に、傷が発生するのを防止し、ＰＣ鋼撚り線の脆性破断を防止できる。
【００５４】
また、第７発明によると、ＰＣ鋼撚り線に用いるコーン型の緊張定着治具構において、分割型雄コーンのテーパー状外周面の中心軸線とのなす角度を、雌型受け金具におけるテーパー状内周面の中心軸線となす角度よりも、０．３度以上０．６度以下の角度で大きくしたので、分割型雄コーンの先端部付近におけるＰＣ鋼撚り線に対する応力集中の緩和効果が大きく、なおかつ、雌型受け金具のテーパー状内周面に入りやすく確実に定着しやすい、実用的な分割型雄コーンとすることができる。
【００５５】
また、第８発明のように、円周方向に複数分割された分割型雄コーン内周面とその周方向分割端面との内隅部を、前記雄コーン内周面の内歯山部に接線状態で接続すると共に、分割端面に近づくにしたがって漸次半径方向外側に拡径するように傾斜する傾斜面を介して接続すると、ＰＣ鋼撚り線に、きずが発生するのを防止し、ＰＣ鋼撚り線の脆性破断を防止できる。
【００５６】
また、第９発明のように、ＰＣ鋼撚り線が２，０００ＭＰａ以上の高強度ＰＣ鋼撚り線であると、高強度線材の定着治具構造とことができる。
【図面の簡単な説明】
【図１】本発明の第１実施形態に係る分割型雄コーンを示すものであって、（ａ）は一部縦断側面図であり、（ｂ）は（ａ）の右方向から見た背面図である。
【図２】分割型雄コーン片の一部を拡大して示す縦断側面図である。
【図３】本発明の雌型受け金具の一形態を示すものであって、（ａ）は縦断側面図であり、（ｂ）は（ａ）の右方向から見た背面図である。
【図４】雌型受け金具に雄コーンを圧入してＰＣ鋼より線を定着する場合の縦断側面図である。
【図５】図４における雄コーン受け金具と雄コーンとＰＣ鋼撚り線との関係を示す図である。
【図６】ＰＣ鋼撚り線の一部と雄コーン内側隅部との状態を示す図であり、（ａ）は雄コーン内側隅部を面取り加工した場合であり、（ｂ）は雄コーン内側隅部をＲ加工した場合を示す背面説明図である。
【図７】本発明の第２実施形態に係る分割型雄コーンを示すものであって、（ａ）は縦断側面図、（ｂ）は背面図である。
【図８】分割型雄コーン片の一部を拡大して示す縦断側面図である。
【図９】本発明の第３実施形態に係る分割型雄コーンを示すものであって、（ａ）は縦断側面図、（ｂ）は背面図である。
【図１０】分割型雄コーンのテーパー状外周面の傾斜角を、雌型受け金具のテーパー状内周面の傾斜角と同じか、雌型受け金具のテーパー状内周面の傾斜角以上の角度差のあるテーパー状外周面の分割型雄コーンを使用した場合の、雄コーン軸方向位置に対応する鋼線表面の軸方向応力を示す線図である。
【図１１】従来の分割型雄コーンを示すものであって、（ａ）は一部縦断側面図であり、（ｂ）は（ａ）の右方向から見た背面図である。
【図１２】従来の雌型受け金具の一形態を示すものであって、（ａ）は縦断側面図であり、（ｂ）は（ａ）の右方向から見た背面図である。
【図１３】雌型受け金具に分割型雄コーンを圧入してＰＣ鋼撚り線を定着する場合の縦断側面図である。
【図１４】（ａ）は図１３における雌型受け金具と分割型雄コーンとＰＣ鋼撚り線との関係を示す図、（ｂ）は分割型雄コーン内側隅部が鋼線に噛み込んでいる状態を示す図である。
【符号の説明】
１  面取り接続部
２  円弧状接続部
３  ＰＣ鋼線
４  山部
４ａ  斜面
４ｂ  斜面
４ｃ  谷部
４ｄ  山部
５  分割型雄コーン
６  分割型雄コーン片
７  摩擦型固定部
８  支圧プレート
９  楔型固定部
１０  内側テーパー状緩傾斜面
１１  テーパー状外周面
１２  スリット
１３  円筒状内周面
１４  内歯
１５  分割型雄コーン
１５ａ  分割型雄コーン片
１６  テーパー状内周面
１７  雌型受け金具
１８  ＰＣ鋼撚り線
１９  円周方向分割端面
２０  内隅部
２１  角部
２２  定着治具
２３  傷
２５  傾斜型楔部
２６  傾斜面
【図１】
2004308203.tif 000003
【図２】
2004308203.tif 000004
【図３】
2004308203.tif 000005
【図４】
2004308203.tif 000006
【図５】
2004308203.tif 000007
【図６】
2004308203.tif 000008
【図７】
2004308203.tif 000009
【図８】
2004308203.tif 000010
【図９】
2004308203.tif 000011
【図１０】
2004308203.tif 000012
【図１１】
2004308203.tif 000013
【図１２】
2004308203.tif 000014
【図１３】
2004308203.tif 000015
【図１４】
2004308203.tif 000016